(57)【要約】【課題】  ２枚のカラーホイールを内蔵し、光路上に一部を重ねるカラーホイールを切り換えるプロジェクタは、小型にして耐久性のあるプロジェクタとすることが困難であった。【解決手段】  光源装置210、光源側光学系220、表示素子230、投影側光学系250、冷却ファン190、更に、ランプ電源回路261及びファン駆動電源回路263やプロジェクタ制御手段267を備えたプロジェクタ100であって、赤色フィルタ、緑色フィルタ、青色フィルタの３原色に透明又は白色のフィルタを加えた４色のカラーホイールを２枚有し、２枚のカラーホイール（221,222）における透明又は白色のフィルタを重ねて光路上に位置するカラーホイール（221,222）の位置を基準として２枚のカラーホイール（221,222）の何れか一方を回転させるホイールモータ（275,276）を備えたプロジェクタとする【選択図】図２
2007047700.tif 000002
【特許請求の範囲】
【請求項１】
光源装置、光源側光学系、表示素子、投影側光学系、冷却ファン、更に、ランプ電源回路及びファン駆動電源回路やプロジェクタ制御手段を備えたプロジェクタであって、赤色フィルタ、緑色フィルタ、青色フィルタの３原色に透明又は白色のフィルタを加えた４色のカラーホイールを２枚有し、前記２枚のカラーホイールにおける透明又は白色のフィルタを重ねて光路上に配置した前記カラーホイールの位置を基準とし、前記２枚のカラーホイールの何れか一方を回転させるホイールモータを備えたことを特徴とするプロジェクタ。
【請求項２】
前記２枚のカラーホイールは、透明又は白色のフィルタの面積率が異なるカラーホイールであり、２個のホイールモータを備え、各ホイールモータのモータ軸に各々前記各カラーホイールが取り付けられていることを特徴とする請求項１に記載したプロジェクタ。
【請求項３】
前記２個のホイールモータは、各ホイールモータのモータ軸を相互に平行として前記光路の両側に配置されていることを特徴とする請求項２に記載したプロジェクタ。
【請求項４】
前記２個のホイールモータは、各ホイールモータのモータ軸を同一直線上に配置して前記光路の側方に配置されていることを特徴とする請求項２に記載したプロジェクタ。
【請求項５】
前記２枚のカラーホイールは、透明又は白色のフィルタの面積率が異なるカラーホイールであり、前記ホイールモータとして単一のホイールモータを備え、前記ホイールモータはモータ軸に沿って移動可能なホイールモータギヤを有し、前記ホイールモータギヤが、前記各カラーホイールと各々一体に回転するホイールギヤの一方と噛合することを特徴とする請求項１に記載したプロジェクタ。
【発明の詳細な説明】
【技術分野】
【０００１】
本発明は、ビデオ信号等の画像情報に基づいて画像を投影するプロジェクタ装置に関するものである。  
【背景技術】
【０００２】
今日、パーソナルコンピュータの画面やビデオ映像などをスクリーンに投影する画像投影装置としてビデオプロジェクタが多用されている。
このプロジェクタは、高輝度の光源が用いられ、メタルハイランドランプや超高圧水銀ランプなどの小型高輝度の放電ランプにリフレクタとしての凹面反射鏡を取り付けたランプユニットをプロジェクタの光源装置としてプロジェクタに組み込むことが多い。
【０００３】
そして、このランプユニットでは、回転放物線状のリフレクタ又は回転楕円面状のリフレクタを用いたものが多く用いられ、リフレクタの楕円焦点に高輝度の放電ランプを設置し、前方及び後方に向けて射出された光をこの回転放物線又は回転楕円面のリフレクタで反射させ、ライトトンネルや導光ロッドに集光するものとしている。
【０００４】
そして、超高圧水銀ランプなどの高輝度の放電ランプを内蔵した光源装置からの光を、順次赤色フィルタ、緑色フィルタ、青色フィルタを用いて赤、緑、青の光とし、この赤、緑、青の光を導光ロッドなどを通した後、レンズにより一般的にはＤＭＤと呼ばれるマイクロミラー表示素子に集光させ、この表示素子によりプロジェクタ装置の投影口に向けて反射させるオン状態の光の量によってスクリーン上にカラー画像を表示させるものである。
【０００５】
また、このプロジェクタでは、プロジェクタ本体の上面パネルに設けられるキースイッチを操作することにより、又はリモートコントローラのスイッチを操作することにより、画面の大きさや明るさ、更には色合いなど、種々の設定を行って使用者の好みに合わせた美麗な画像を投影することができるようにされている。
【０００６】
そして、明るさや色合い、コントラストなどの調整設定は、本体に設けられたキースイッチやリモートコントローラのキースイッチを操作すると共に、メニュー画面をスクリーンに投影し、各種パラメータなどを投影表示させて調整内容の確認を行いつつ設定操作が行えるようにされている。
【０００７】
又、投影画像の色合いを調整するに際し、１２０度間隔で赤色フィルタ、緑色フィルタ、青色フィルタの３原色のフィルタを周囲に配置したカラーホイールと、赤色フィルタ、緑色フィルタ、青色フィルタを１００度ないし１１０度程度とし、３０度乃至５０度程度の白色半透明のフィルタとによる４色のフィルタを周囲に配置したカラーホイールとの２個のカラーホイールを内蔵し、３原色フィルタのカラーホイールと４色フィルタのカラーホイールとを切り換えることにより、色合いの濃い投影画像と色合いが多少薄くても明るい投影画像とを切り換えるようにするプロジェクタも提案されている（例えば特許文献１）。
【特許文献１】特開２００４−２９４９８５号公報
【発明の開示】
【発明が解決しようとする課題】
【０００８】
前述のように、白色半透明なフィルタを備えた４色のカラーホイールと白色フィルタを備えない３原色のカラーホイールを光源側光学系の光路上に置き換えるプロジェクタは、投影画像の明るさ又は色合いの切り換え調整を効果的に行えるも、カラーホイールやホイールモータをカラーホイールの回転軸と交わる方向に移動させるための機構が複雑となり、プロジェクタの小型化が困難になる欠点があった。
【０００９】
また、カラーホイールを光路に対して正確に位置決めすることが困難であり、正確な位置合わせの必要な機械的可動部を組み込むことは、プロジェクタの耐久性を維持することが困難となる問題があった。
本発明は、このような欠点を排除し、色合いの変更が容易にして、小型で耐久性のあるプロジェクタを提供するものである。
【課題を解決するための手段】
【００１０】
本発明は、光源装置（210）、光源側光学系（220）、表示素子（230）、投影側光学系（250）、冷却ファン（190）、更に、ランプ電源回路（261）及びファン駆動電源回路（263）やプロジェクタ制御手段（267）を備えたプロジェクタ（100）であって、赤色フィルタ（271Ｒ,272Ｒ）、緑色フィルタ（271Ｇ,272Ｇ）、青色フィルタ（271Ｂ,272Ｂ）の３原色に透明又は白色のフィルタ（271Ｗ,272Ｗ）を加えた４色のカラーホイールを２枚有し、２枚のカラーホイール（221,222）における透明又は白色のフィルタ（271Ｗ,272Ｗ）を重ねて光路上に配置したカラーホイール（221,222）の位置を基準とし、２枚のカラーホイール（221,222）の何れか一方を回転させるホイールモータ（275）を備えたプロジェクタ（100）とするものである。
【００１１】
そして、２枚のカラーホイール（221,222）は、透明又は白色のフィルタ（271Ｗ,272Ｗ）の面積率が異なるカラーホイール（221,222）であり、２個のホイールモータ（275、276）を備え、各ホイールモータ（275、276）のモータ軸にカラーホイール（221,222）を固定し、各カラーホイール（221,222）毎に各々のカラーホイール（221,222）を駆動するホイールモータ（275、276）を設けるようにすることが好ましい。
【００１２】
尚、２個のホイールモータ（275、276）は、ホイールモータ（275、276）のモータ軸を相互に平行として光路の両側に配置する場合と、ホイールモータ（275、276）のモータ軸を同一線上に配置して光路の側方に配置する場合がある。
また、単一のホイールモータ（275）を備え、ホイールモータ（275）のモータ軸（278）に沿って移動可能なホイールモータギヤ（279）を各カラーホイール（221,222）と各々一体に回転するホイールギヤ（285,286）の一方と噛合させるようにすることもある。
【発明の効果】
【００１３】
本発明に係るプロジェクタは、透明又は白色のフィルタを含む４色のフィルタを備えた２枚のカラーホイールを有しているため、透明又は白色のフィルタを備えたカラーホイールの一方を回転させることにより、何れのカラーホイールを回転させるかによって表示素子に照射する光における赤色光、緑色光、青色光、及び、白色光の割合を変化させることができる。
【００１４】
従って、明るい投影画像と色合いの濃い投影画像の切換えが容易であり、２枚のカラーホイールの透明又は白色のフィルタを重ねて光路に位置させることにより、カラーホイールを軸方向と交わる方向に移動させる必要が無く、小型で耐久性のあるプロジェクタとすることが容易にできる。
【発明を実施するための最良の形態】
【００１５】
本発明を実施するための最良の形態は、光源装置210、光源側光学系220、表示素子230、投影側光学系250、冷却ファン190、更に、ランプ電源回路261及びファン駆動電源回路263やプロジェクタ制御手段267を備えたプロジェクタ100であって、赤色フィルタ271Ｒ,272Ｒ、緑色フィルタ271Ｇ,272Ｇ、青色フィルタ271Ｂ,272Ｂの３原色に透明又は白色のフィルタ271Ｗ,272Ｗを加えた４色のカラーホイールの２枚を有するものである。
【００１６】
そして、２枚のカラーホイール221,222は、透明又は白色のフィルタ271Ｗ,272Ｗの面積率が異なるカラーホイール221,222とするものであり、２枚のカラーホイール221,222における透明又は白色のフィルタ271Ｗ,272Ｗを重ねて光路上に配置するカラーホイール221,222の停止位置を基準とするものである。
【００１７】
更に、カラーホイール221,222を駆動する２個のホイールモータ275,276を、ホイールモータ275,276のモータ軸を相互に平行として光路の両側に配置し、このホイールモータ275,276の各モータ軸に各々のカラーホイール221,222を取り付け、プロジェクタ制御手段267により、２枚のカラーホイール221,222の何れか一方を回転させるようのホイールモータ275,276を回転させるプロジェクタ100とするものである。
【実施例】
【００１８】
本発明に係るプロジェクタは、プロジェクタ制御手段としてのマイクロコンピュータを内蔵し、図１に示すように、略直方体とされるケースの前面パネル120にはレンズカバー121を備えた投影口123を有し、ケースの上面パネル110には電源スイッチ111としてのキーや手動画質調整キー113、自動画質調整キー114、電源ランプインジケータ112、光源ランプインジケータ115、過熱インジケータ116などのキー及びインジケータ類、スピーカを内側に配置した拡声穴118や開閉蓋119を有し、図示しない背面パネルには電源コネクタやパーソナルコンピュータと接続するＵＳＢ端子、画像信号入力用のビデオ端子やミニＤ−サブ端子などの各種信号入力端子を有するプロジェクタ100である。
【００１９】
そして、上面の開閉蓋119の内部には、画質や画像の微調整及びプロジェクタ100の各種動作設定を行うサブキーを有し、ケースの左側面パネルには吸気口が、右側面パネル140には排気口145が設けられ、内部に冷却ファンを有するものである。
また、底面パネルの前方には突出量を調整可能とした前足部材170を有し、底面パネルの後方左右には固定式の後足部材175を有し、前足部材170の突出量を調整してプロジェクタ100の前方高さを変化させ、スクリーンの高さにあわせた画像の投影を可能としているものである。
【００２０】
そして、このプロジェクタ100の内部には、図２に示すように、超高圧水銀ランプなどの放電ランプ211を内蔵する光源装置210、及び、光源側光学系220として第１カラーホイール221と第２カラーホイール222や導光ロッド224、照明側光学系として複数枚の光源側レンズ群226と１枚のミラー228を有するものである。
【００２１】
更に、ランプ電源回路261及びファン駆動電源回路263やプロジェクタ制御手段267を取り付けた回路基板269、光源装置210からの射出光を表示素子230に照射する光源側光学系220、及び、複数の画素を行方向及び列方向にマトリクス状に配列して入射した光の反射を制御することにより画像を表示する表示素子230、更に、前記表示素子230からの射出光をスクリーン等の投影面に投影する投影側光学系250である固定レンズ群253や可動レンズ群255を組み込んだプロジェクタ100である。
【００２２】
この回路基板269には、マイクロコンピュータによるプロジェクタ制御手段267が設けられ、この制御手段267により、プロジェクタ内の各回路の動作制御を行い、電源スイッチ111がオン状態とされると光源装置210の放電ランプ211を点灯させると共に、冷却ファン190を放電ランプ211の出力や冷却ファン190のファン形状及び配置などに合わせた定格速度で駆動させ、左側面パネル150の吸気口155から外気を取り入れ、右側面パネル140の排気口145から内部の空気を排出しつつプロジェクタ100をスタンバイ状態とするものである。
【００２３】
そして、放電ランプ211の温度が所定温度に上昇して発光が安定すると、画像信号の入力による画像の投影を可能とするものである。
また、電源スイッチ111がオフ状態とされると放電ランプ211を消灯すると共に、タイマーにより数分間程度の所定時間だけ冷却ファン190の駆動を持続させてプロジェクタ100の内部を冷却した後に全ての動作を停止させる等の制御も行なうものである。
【００２４】
そして、表示素子230は、カラーフィルターのような入射光を着色する手段を備えない表示素子230であり、この実施例では、一般にＤＭＤと略称されるマイクロミラー表示素子230（Digital Micromirror Device）を用いている。
【００２５】
このマイクロミラー表示素子230は、その正面方向に対して一方向に傾いた入射方向から入射した光を、前記複数のマイクロミラーの傾き方向の切換えにより正面方向のオン状態光線と斜め方向のオフ状態光線とに分けて反射することにより画像を表示するものであり、一方の傾き方向に傾動されたマイクロミラーに入射した光をこのマイクロミラーにより正面方向に反射するオン状態光線とし、他方の傾き方向に傾動されたマイクロミラーに入射した光をこのマイクロミラーにより斜め方向に反射してオフ状態光線とすると共に、このオフ状態光線を吸光板で吸収し、正面方向への反射による明表示と、斜め方向への反射による暗表示とにより画像を表示するものである。
【００２６】
そして、光源装置210は、内部に放電ランプ211を備え、内面が反射面とされる楕円球面形状のリフレクタと、このリフレクタの前方にリフレクタ前方の開口を塞ぐように防爆面が設置されるものであり、放電ランプ211はランプ電源回路261から電源を供給可能に導線により接続され、放電ランプ211が発光してリフレクタの反射面により反射して、光源装置210の前方に光を照射するものである。
【００２７】
また、光源装置210からの射出光をマイクロミラー表示素子230に入射させる光源側光学系220は、第１カラーホイール221及び第２カラーホイール222や導光ロッド224、複数枚のレンズである光源側レンズ群226、及び、ミラー228で構成している。
【００２８】
この第１カラーホイール221及び第２カラーホイール222は、光源装置210からの射出光を赤、緑、青の３色に順次着色するためのカラーフィルターと白色半透明のフィルタとを円周上に有するものであり、導光ロッド224は、光源装置210からの射出光の強度分布を均一にするためのものである
【００２９】
そして、第１カラーホイール221及び第２カラーホイール222は、扇状の赤、緑、青の３色のカラーフィルターと白色半透明のフィルタとが周方向に並べて設けられた回転板であり、その中心が光源装置210からの射出光の光路の側方に配置されたホイールモータ275,276のモータ軸に固定され、カラーホイールの周方向の一部を光源装置210からの射出光の光路に介在させるように配置するものである。
【００３０】
また、導光ロッド224は、カラーホイール222の射出側に入射面を対向させる位置として配置し、入射面から入射した光をロッド内周面の反射膜により反射しながら導いて射出面から均一な強度分布の光として射出するものである。
そして、光源側光学系220のミラー228は、光源装置210から射出され、導光ロッド224と第１カラーホイール221及び第２カラーホイール222と光源側レンズ群226とを透過した光を、マイクロミラー表示素子230に向けて反射することによりマイクロミラー表示素子230にその正面方向に対して一方の方向に傾いた方向から光を投射するものである。
【００３１】
また、投影側光学系250は、固定レンズ群253を内蔵する固定鏡筒と、この固定鏡筒に係合され、回転操作により軸方向に進退移動可能とされる可動レンズ群255を内蔵する可動鏡筒とを備え、これらの鏡筒内に組み込まれた複数枚のレンズの組み合わせによりズームレンズを形成する投影側光学系250としているものである。
【００３２】
このように、このプロジェクタ100は、光源装置210から光を一方向に射出させ、光源側光学系220の第１カラーホイール221又は第２カラーホイール222を高速で回転駆動させることにより、光源装置210から光源側光学系220に入射した光を、第１カラーホイール221又は第２カラーホイール222により赤、緑、青の３色に順次着色し、さらに導光ロッド224により強度分布を均一にして、光源側光学系220としてのレンズ53及びミラーによりマイクロミラー表示素子230に向けて投射することができるものである。
【００３３】
そして、電源投入時から所定時間が経過して光源装置210からの光が安定すると、赤色、緑色、青色の光の投射周期に同期させてマイクロミラー表示素子230に赤、緑、青の単色画像データを順次書込むことにより、マイクロミラー表示素子230の正面方向に反射するオン状態光線によりマイクロミラー表示素子230に赤、緑、青の単色画像を順次形成させ、マイクロミラー表示素子230から順次射出する赤、緑、青の単色画像光を、投影側光学系250のレンズ群253、255により拡大して投影面に投影するものであり、投影面に、赤、緑、青の３色の単色画像が重なったフルカラー画像を表示するものである。
【００３４】
そして、このプロジェクタ100では、図２に示したように、光源側光学系220の光路に配置した導光ロッド224の両側に各々第１ホイールモータ275と第２ホイールモータ276との２個のモータを配置し、第１ホイールモータ275のモータ軸に第１カラーホイール221を、第２ホイールモータ276のモータ軸に第２カラーホイール222を取付けているものである。
【００３５】
この第１カラーホイール221や第２カラーホイール222は、図３に示すように、扇形の赤色フィルタ271Ｒ,272Ｒ、緑色フィルタ271Ｇ,272Ｇ、青色フィルタ271Ｂ,272Ｂと白色又は透明フィルタとしての白色半透明フィルタ271Ｗ,272Ｗとにより構成しているものであって、同一直径の４色カラーホイールであり、第１カラーホイール221の白色半透明フィルタ271Ｗの面積と第２カラーホイール222の白色半透明フィルタ272Ｗの面積とを異なる大きさとしているものである。
【００３６】
そして、図４に示すように、第１カラーホイール221の白色半透明フィルタ271Ｗを導光ロッド224の位置に合わせたカラーホイール221の回転位置を第１カラーホイール221の基準位置とし、第２カラーホイール222の白色半透明フィルタ272Ｗを導光ロッド224の位置に合わせたカラーホイール222の回転位置を第２カラーホイール222の基準位置として第１カラーホイール221の白色半透明フィルタ271Ｗと第２カラーホイール222の白色半透明フィルタ272Ｗとを重ね合わせて光源側光学系220の光路上に位置させているものである。
【００３７】
このように、２個のカラーホイールにおける白色半透明フィルタ271Ｗ,272Ｗを重ねて光路上に位置させ、各カラーホイール221,222の中心を各々固定するホイールモータのモータ軸を平行として光源側光学系220の光路である導光ロッド224の両側に第１ホイールモータ275と第２ホイールモータ276とを配置しているものである。
【００３８】
そして、プロジェクタ制御手段267により第１ホイールモータ275又は第２ホイールモータ276の駆動制御を行なうものであって、第１カラーホイール221を回転させる場合と第２カラーホイール222を回転させる場合とで、表示素子230に照射する光における赤色光と緑色光及び青色光に対する白色光の割合を変化させるものである。
【００３９】
また、この第１ホイールモータ275及び第２ホイールモータ276としてはステップモータを用いており、第１カラーホイール221及び第２カラーホイール222の回転位置を回転位置検出手段により検出し、プロジェクタ制御手段267により第１カラーホイール221及び第２カラーホイール222の回転停止位置は白色半透明フィルタ271Ｗ,272Ｗを光路上に位置させる回転位置を基準位置としている。
【００４０】
更に、第１カラーホイール221及び第２カラーホイール222の回転時は１回転毎に光路上の各色のフィルタの位置を確認しつつ第１ホイールモータ275又は第２ホイールモータ276の回転速度を調整制御して表示素子230を駆動する単色画像データと表示素子230に照射する赤色、緑色、青色の光との同期を合わせた制御を行なっているものである。
【００４１】
このように、第１ホイールモータ275のホイールモータ軸に第１カラーホイール221を固定し、第２ホイールモータ276のホイールモータ軸に第２カラーホイール222を固定し、第１カラーホイール221を回転させるときは第２カラーホイール222を停止させておき、第２カラーホイール222の白色半透明フィルタ272Ｗを透過した光を第１カラーホイール221の赤色フィルタ271Ｒ、緑色フィルタ271Ｇ、青色フィルタ271Ｂ、白色半透明フィルタ271Ｗを透過させることにより、赤色光、緑色光、青色光及び白色光として導光ロッド224や光源側レンズ群226等を介して表示素子230に照射するものである。
【００４２】
また、第２カラーホイール222を回転させるときは第１カラーホイール221を停止させ、第２カラーホイール222の赤色フィルタ272Ｒ、緑色フィルタ272Ｇ、青色フィルタ272Ｂ、白色半透明フィルタ272Ｗを透過した赤色光、緑色光、青色光及び白色光を第１カラーホイール221の白色半透明フィルタ271Ｗ及び導光ロッド224や光源側レンズ群226等を介して表示素子230に照射するものである。
【００４３】
従って、プロジェクタ制御手段267により、第１ホイールモータ275を駆動するか第２ホイールモータ276を駆動するかの制御を切り換えるのみで、表示素子230に照射する赤色光、緑色光、青色光、及び、この３原色に対する白色光の割合を変化させることができ、カラーホイール221,222を固定位置で回転又は停止させるのみであるから、プロジェクタ100を小型化することが容易であり、且つ、耐久性を低下させることのないプロジェクタ100である。
【００４４】
尚、第１カラーホイール221の回転軸と第２カラーホイール222の回転軸を平行として光路の両側に配置する場合のみでなく、図５に示すように、第１カラーホイール221と第２カラーホイール222とを同軸の回転中心位置として重ね合わせることもある。
【００４５】
この場合は、第１ホイールモータ275と第２ホイールモータ276を向き合わせ、第１ホイールモータ275のモータ軸と第２ホイールモータ276のモータ軸とを直線状に配置して第１カラーホイール221と第２カラーホイール222とを近接位置としつつ第１カラーホイール221及び第２カラーホイール222の一部を光路上に位置させ、第１カラーホイール221の基準停止位置として白色半透明フィルタ271Ｗを光路上に、第２カラーホイール222の基準停止位置として白色半透明フィルタ272Ｗを光路上に位置させるものである。
【００４６】
また、第１カラーホイール221の白色半透明フィルタ271Ｗや第２カラーホイール222の白色半透明フィルタ272Ｗは、無色透明のフィルタとすることもある。
更に、第１カラーホイール221と第２カラーホイール222とを同軸として重ね合わせる場合、図６に示すように、第１ホイール軸281を第２ホイール軸282に貫通させて設けるものとし、第１ホイール軸281の先端に第１カラーホイール221を取付けると共に第１ホイール軸281の後端に第１ホイールギヤ285を設け、第２ホイール軸282の先端に第２カラーホイール222を取付けると共に第２ホイール軸282の後端に第２ホイールギヤ286を設け、第１カラーホイール221と第２カラーホイール222とを各々回転自在に同軸に配置することもある。
【００４７】
この場合は、第１ホイールギヤ285と第２ホイールギヤ286とは同一歯車とすると共に、第１ホイールモータ275のモータ軸278にスプライン軸を用い、このホイールモータ275のモータ軸278にホイールモータギヤ279を設け、ホイールモータギヤ279をホイールモータ275のモータ軸278と一体に回転させつつモータ軸278に沿って移動可能とし、このホイールモータギヤ279を第１ホイールギヤ285又は第２ホイールギヤ286と噛合させるものである。
【００４８】
このように、モータ軸278の軸方向に摺動可能なホイールモータギヤ279を設け、このホイールモータギヤ279を第１ホイールギヤ285又は第２ホイールギヤ286と噛合させて第１カラーホイール221又は第２カラーホイール222の一方のみを回転させるようにすれば、ホイールモータ275のモータ軸278に沿ってホイールモータギヤ279を移動させるのみであるから、耐久性を低下させること無く、１個のホイールモータ275のみで第１カラーホイール221又は第２カラーホイール222を回転駆動することができるため、プロジェクタ100を容易に小型化することができる。
【００４９】
なお、単一のホイールモータ275で２枚のカラーホイールを駆動するに際して、図７に示すように、外歯を有するカラーホイール221,222とし、第１カラーホイール221と第２カラーホイール222の一部を重ねると共に、ホイールモータ275のモータ軸278に設けたホイールモータギヤ279をモータ軸278の軸方向に摺動可能とし、このホイールモータギヤ279を第１カラーホイール221の外歯と噛合させるか、又は、第２カラーホイール222の外歯と噛合させるようにすることもある。
【００５０】
このカラーホイールにおいても、第１カラーホイール221と第２カラーホイール222とを同一の大きさとし、第１カラーホイール221の赤色フィルタ271Ｒ、緑色フィルタ271Ｇ、青色フィルタ271Ｂの大きさと第２カラーホイール222の赤色フィルタ272Ｒ、緑色フィルタ272Ｇ、青色フィルタ272Ｂの大きさとを異なる大きさとし、第１カラーホイール221の白色半透明フィルタ271Ｗと第２カラーホイール222の白色半透明フィルタ272Ｗの第１カラーホイール221や第２カラーホイール222に占める面積比を変えているものである。
【００５１】
尚、図７においては、白色半透明フィルタ271Ｗ,272Ｗを用いることなく透孔を形成し、透孔以外の部分は、赤色フィルタ271Ｒ,272Ｒ、緑色フィルタ271Ｇ,272Ｇ、青色フィルタ271Ｂ,272Ｂを貼り付けた窓部を有するカラーホイール221,222としているものである。
【００５２】
このように、このプロジェクタ100は、赤色フィルタ271Ｒ,272Ｒ、緑色フィルタ271Ｇ,272Ｇ、青色フィルタ271Ｂ,272Ｂと白色又は透明のフィルタ271Ｗ,272Ｗの４種類のフィルタを備えた２枚の円板状カラーホイール221, 222の一部又は全部を重ねることにより白色又は透明のフィルタ271Ｗ,272Ｗを重ねて光路上に配置しているものであるから、一方のカラーホイールの白色又は透明フィルタと他方のカラーホイールに設けたカラーフィルタとを用いることによって、白色光の割合を変化させた赤色、緑色、青色、白色の光を表示素子230に照射し、色合いや明るさの異なる投影画像を形成することができる。
【００５３】
また、本発明は、以上の実施例の形態に限定されるものでなく、発明の要旨を逸脱しない範囲で自由に変更、改良が可能である。
【図面の簡単な説明】
【００５４】
【図１】本発明に係るプロジェクタの外観を示す図。
【図２】本発明に係るプロジェクタの内部構造の概略を示す平面図。
【図３】本発明に係るプロジェクタに用いるカラーホイールの正面図。
【図４】本発明に係るプロジェクタに用いるカラーホイールの配置を示す図。
【図５】本発明に係るプロジェクタに用いるカラーホイールの他の配置を示す図。
【図６】本発明に係るプロジェクタに用いるカラーホイールの他の実施例を示す図。
【図７】本発明に係るプロジェクタに用いるカラーホイールのその他の実施例を示す図。
【符号の説明】
【００５５】
１００  プロジェクタ
１１０  上面パネル              １１１  電源スイッチ
１１２  電源ランプインジケータ  １１３  手動画質調整キー
１１４  自動画質調整キー        １１５  光源ランプインジケータ
１１６  加熱インジケータ        １１８  拡声穴
１１９  開閉蓋
１２０  前面パネル
１２１  レンズカバー            １２３  投影口
１３０  後面パネル
１４０  右側面パネル            １４５  排気口
１５０  左側面パネル            １５５  吸気口
１６０  底面パネル
１７０  前足部材                １７５  後足部材
１９０  冷却ファン
２１０  光源装置                ２１１  放電ランプ
２２０  光源側光学系
２２１  第１カラーホイール      ２２２  第２カラーホイール
２２４  導光ロッド              ２２６  光源側レンズ群
２２８  ミラー
２３０  表示素子
２５０  投影側光学系
２５３  固定レンズ群            ２５５  可動レンズ群
２６１  ランプ電源回路          ２６３  ファン駆動電源回路
２６５  ファン駆動制御手段      ２６７  プロジェクタ制御手段
２６９  回路基板
２７１Ｒ  赤色フィルタ          ２７１Ｇ  緑色フィルタ
２７１Ｂ  青色フィルタ          ２７１Ｗ  白色又は透明フィルタ
２７２Ｒ  赤色フィルタ          ２７２Ｇ  緑色フィルタ
２７２Ｂ  青色フィルタ          ２７２Ｗ  白色又は透明フィルタ
２７５  第１ホイールモータ      ２７６  第２ホイールモータ
２７８  モータ軸                ２７９  ホイールモータギヤ
２８１  第１ホイール軸          ２８２  第２ホイール軸
２８５  第１ホイールギヤ        ２８６  第２ホイールギヤ
【図１】
2007047700.tif 000003
【図２】
2007047700.tif 000004
【図３】
2007047700.tif 000005
【図４】
2007047700.tif 000006
【図５】
2007047700.tif 000007
【図６】
2007047700.tif 000008
【図７】
2007047700.tif 000009